(57)【要約】【課題】  ゴルフ練習用視線固定装置を提供する。【解決手段】  本発明は、視線誘導手段と支持手段で構成される。視線誘導手段は、それぞれ異なる形態の照準孔または一文字形の照準用バーを通してユーザの視線を、床に置かれたゴルフボールに誘導してくれる。特に、各視線誘導手段の一端には着脱用締結部が形成される。また、支持手段の一端は支え台に固定され、他端はいずれか一つの視線誘導手段を着脱するための締結部が形成された状態で構成される。視線誘導手段と支持手段は、多様な形態の締結手段を通して互いに着脱される。本発明によれば、ゴルフクラブと練習状況に適するモジュールを容易に選択して使用でき、ゴルフクラブのスイング姿勢をさらに効率よく較正できる。【選択図】図２
2005329224.tif 000002
【特許請求の範囲】
【請求項１】
それぞれ異なる形態の照準孔が形成され、ゴルフ練習をするユーザが前記照準孔を通して床に置かれたゴルフボールを見つめられるようにし、その一端には着脱用第１締結部が形成された複数個の視線誘導手段と、
支え台と、
一端は前記支え台に固定され、他の一端には前記視線誘導手段のうちいずれか一つの第１締結部と着脱できる第２締結部が形成されている支持手段とを含むことを特徴とするゴルフ練習用視線固定装置。
【請求項２】
前記第１締結部の一端には弾性的に摺動自在なプランジャが具備され、前記第２締結部は前記第１締結部が内部に挿入された状態で前記プランジャを受け入れられるよう構成されることを特徴とする請求項１に記載のゴルフ練習用視線固定装置。
【請求項３】
前記第１締結部と第２締結部のうち一つは雄ネジ形態で構成され、もう一つは雌ネジ形態で構成されることを特徴とする請求項１に記載のゴルフ練習用視線固定装置。
【請求項４】
前記第１締結部と第２締結部のうち一つは磁石を含み、もう一つは前記磁石につく金属材を含む形態で構成されることを特徴とする請求項１に記載のゴルフ練習用視線固定装置。
【請求項５】
前記支持手段は外力により任意の形態に変形しやすく、外力が加わらない時は現在の形態をそのまま維持できる軟性材質で構成され、前記視線誘導手段を支持できるほどの支持力を有するよう構成されることを特徴とする請求項１に記載のゴルフ練習用視線固定装置。
【請求項６】
前記支持手段は一つ以上の関節を含んで前記関節部位で曲げられるよう構成されることを特徴とする請求項１に記載のゴルフ練習用視線固定装置。
【請求項７】
前記支持手段は次第に口径が小さくなる複数個の節で構成され、各節が隣接節の内部に摺動して、その長さを調節するように構成されることを特徴とする請求項１に記載のゴルフ練習用視線固定装置。
【請求項８】
前記支持手段の両端は前記支え台及び前記第２締結部とピボット結合されるよう構成されることを特徴とする請求項７に記載のゴルフ練習用視線固定装置。
【請求項９】
ゴルフ練習をするユーザが、床に置かれたゴルフボールを見つめる視線をガイドできる一文字形の照準用バーが具備され、一端には着脱用第１締結部が形成された視線誘導手段と、
支え台と、
一端は前記支え台に固定され、他の一端は前記視線誘導手段の第１締結部と着脱できる第２締結部が形成されている支持手段とを含むことを特徴とするゴルフ練習用視線固定装置。
【請求項１０】
前記第１締結部の一端には、弾性的に摺動可能なプランジャが具備され、前記第２締結部は前記第１締結部が内部に挿入された状態で前記プランジャを受け入れられるよう構成されることを特徴とする請求項９に記載のゴルフ練習用視線固定装置。
【請求項１１】
前記第１締結部と第２締結部のうち一つは雄ネジの形態で構成され、もう一つは雌ネジの形態で構成されることを特徴とする請求項９に記載のゴルフ練習用視線固定装置。
【請求項１２】
前記第１締結部と第２締結部のうち一つは磁石を含み、もう一つは前記磁石につく金属材を含む形態で構成されることを特徴とする請求項９に記載のゴルフ練習用視線固定装置。
【請求項１３】
前記支持手段は、外力により任意の形態に変形しやすく、外力が加わらない時は現在の形態のまま維持できる軟性材質で構成され、前記視線誘導手段を支持できるほどの支持力を有するよう構成されることを特徴とする請求項９に記載のゴルフ練習用視線固定装置。
【請求項１４】
前記支持手段は、一つ以上の関節を含んで前記関節部位で曲げられるよう構成されることを特徴とする請求項９に記載のゴルフ練習用視線固定装置。
【請求項１５】
前記支持手段は、次第に口径が小さくなる複数個の節で構成され、各節が隣接節の内部に摺動してその長さを調節するように構成されることを特徴とする請求項９に記載のゴルフ練習用視線固定装置。
【請求項１６】
前記支持手段の両端は、前記支え台及び前記第２締結部とピボット結合されるように構成されることを特徴とする請求項１５に記載のゴルフ練習用視線固定装置。
【発明の詳細な説明】
【技術分野】
【０００１】
本発明はゴルフ練習用視線固定装置に係り、特にユーザがゴルフ練習を行なう時、床に置かれたゴルフボールに視線を固定できるようにしてゴルフクラブのスイング姿勢を直せる装置に関する。
【背景技術】
【０００２】
ゴルフの大衆化に伴って、簡単にゴルフ練習を行なえるようにする多くの装置が開発されている。このような装置の殆んどは、ユーザのスイング姿勢を直すための目的を持っている。姿勢を直すには、ゴルフクラブのスイング中に、床に置かれたゴルフボールに視線を固定させる方法が使用され、このための装置も開示されている。一例として、２００４年１月７日付けにて韓国出願されたゴルフスイング姿勢較正器２（韓国実用新案登録出願：２０−２００４−００００３７４）は、図１に示すように、地面にレーザービームを照射してゴルフボール３の位置を設定し、ユーザは照準孔２-１を通してゴルフボールの位置を見つめながらゴルフクラブ１をスイングできるようにする技術を開示している。
【０００３】
しかし、このような従来の装置は、固定された形態の単一照準孔２−１だけをもっていて、ゴルフ練習のための多様な環境に適用できないという問題点がある。すなわち、ゴルフには多数のゴルフクラブが使用され、各ゴルフクラブと練習状況に応じてユーザの望ましい姿勢も変る。これにより姿勢を歪ませなくてもスイングできるユーザの視線範囲も異なり、照準孔の形態も異なるべきである。しかし、従来の装置はこれを反映できないため、使用されるゴルフクラブと練習状況に適するゴルフ練習を行なえないという問題点があった。
【発明の開示】
【発明が解決しようとする課題】
【０００４】
本発明は、前述したような問題点を解決するために発明されたもので、その目的は使用するゴルフクラブと練習状況に適した視線誘導手段を、便利に選択できるようにして、さらに効率よくゴルフクラブのスイング姿勢を較正できるようにするゴルフ練習用装置を提供するところにある。
【課題を解決するための手段】
【０００５】
前述した目的を達成するため、本発明に係るゴルフ練習用視線固定装置は視線誘導手段と支持手段で構成される。
【０００６】
視線誘導手段を構成する第１実施形態は、モジュール別に異なる形態を有している照準孔を介して、床に置かれたゴルフボールを見つめられるようにする。視線誘導手段を構成する第２実施形態は、一文字形の照準用バーを介して床に置かれたゴルフボールへ視線を誘導してくれる。このような各視線誘導手段の一端には着脱用第１締結部が形成される。
【０００７】
支持手段の一端は支え台に固定され、他の一端はいずれか一つの視線誘導手段と着脱するための第２締結部が形成された状態で構成される。
【０００８】
視線誘導手段の第１締結部と支持手段の第２締結部はプランジャ形態の締結構造、ネジ形の締結構造、磁石式の締結構造など多様な形態の締結構造で構成される。また、支持手段はユーザが照準孔の角度や位置を容易に設定できるように多様な形態で構成されることができる。
【発明の効果】
【０００９】
本発明を使用すれば、ユーザは視線誘導手段を容易に交替できるので、床に置かれたゴルフボールを見つめる照準孔のサイズを任意に設定することができる。また、必要に応じて照準用バーを用いることもできるため、使用するゴルフクラブや状況に適するように視線を固定できるので、さらに効率的なゴルフ練習が可能になる。
【発明を実施するための最良の形態】
【００１０】
以下、添付した図面に基づき本発明に係る望ましい実施形態を詳述する。
【００１１】
図２は、本発明に係るゴルフ練習用視線固定装置の一実施形態である。支え台１３は、支持手段１４を支える構成要素であって任意の形態で構成できるものであり、支持手段１４の一端は支え台１３に固定されている。
【００１２】
支持手段１４の他の一端には視線誘導手段１１と結合あるいは分離できるよう第２締結部１５が具備されている。
【００１３】
視線誘導手段１１は異なる形態の照準孔を有する複数個よりなり、ユーザは現在の練習状況に適するいずれか一つを選択して第２締結部１５に装着した後、ゴルフ練習を行なう。
【００１４】
各視線誘導手段１１には異なる形態の照準孔１１−１、１１−３、１１−５が形成されており、ゴルフ練習を行なうユーザは、この照準孔１１−１、１１−３、１１−５を通して床に置かれたゴルフボールを見つめながらスイング練習を行なう。また、視線誘導手段１１の一端には第２締結部１５と結合あるいは分離できるよう着脱用第１締結部１１−２、１１−４、１１−６が形成されている。すなわち、各視線誘導手段の第１締結部１１−２、１１−４、１１−６は選択的に第２締結部１５に装着されるため、全て同様に構成される。
【００１５】
各視線誘導手段に具備される第１締結部１１−２、１１−４、１１−６、及び支持手段に具備される第２締結部１５は、ユーザが視線誘導手段１１を便利に着脱できるようにする任意の締結構造を有しうる。
【００１６】
前記締結構造をプランジャ形態で構成する一実施形態を、図３に基づき説明する。
【００１７】
第１締結部１１−２にはプランジャ３０が具備されるが、プランジャ３０はバネ３３を受け入れるバネ受け部３２と前記バネ３３の弾性力を受ける突起３１で構成されることが一般的である。突起３１はバネ３３の弾性力によって外部に跳ね出ないようバネ受入溝３２に係止される構造よりなっている。
【００１８】
第２締結部１５には、第１締結部１１−２を挿入したり引き抜いたいりできる挿入溝１５−１、及びプランジャの突起３１を受け入れられる突起受入溝１５−２が形成されている。これにより、第１締結部１１−２が挿入溝１５−１を通して挿入されれば、プランジャの突起３１が突起受入溝１５−２に受け入れられ固着される。ユーザは視線誘導手段を除去しようとする時は突起受入溝１５−２に受け入れられている突起３１を押えてから引き抜ければ良い。
【００１９】
図４はネジ形で締結される他の実施形態を示したもので、第１締結部１１−２は雄ネジの形態で構成され、第２締結部１５は雌ネジの形態で構成され、ユーザが所望する視線誘導手段を着脱することができる。
【００２０】
図５は、磁石式で締結される他の実施形態を示した図であって、第２締結部１５には磁石１５−３を備え、第１締結部１１−２には磁石を着脱できるよう金属板１１−３を備えるようにする。すると、ユーザは磁石につけたり、取り外す方式で視線誘導手段１１のうちいずれか一つを着脱しやすくなる。もちろん、第１締結部１１−２に磁石を具備するよう構成し、第２締結部１５に金属板を備えるように構成することもできる。
【００２１】
図３ないし図５に示した例は、第１締結部１１−２と第２締結部１５の役割を説明するための例にすぎず、任意の構造で構成されうることは明白である。
【００２２】
前述したように、ゴルフ練習をしようとするユーザは、自分の練習状況に適する視線誘導手段を選択して装着することができる。すなわち、図６に示されているように、選択された視線誘導手段によって視線移動の許容範囲が変動されるので、ゴルフクラブと練習状況に適するゴルフ練習が可能になる。例として、視線の移動が一点に維持されるべきスイング練習のためには（ａ）のように円形の照準孔を有する視線誘導装置を選択して装着し、視線の移動がさらに広く許される練習のためには、（ｂ）あるいは（ｃ）のようにさらに広い照準孔を有する視線誘導装置を選択して装着できる。
【００２３】
一方、支持手段１４は図７に示したように、ユーザの姿勢や練習状況などに適切に対処するため、照準孔の角度と位置を容易に変更できるよう構成して、さらに望ましく実施することができる。
【００２４】
すなわち、ユーザが現在の練習状況に適する視線誘導手段を装着したとしても、視線角度自体が変動でき、この場合は支持手段１４を曲げて所望の角度に合わせられるようにする。
【００２５】
そのための一つの例は、支持手段１４をユーザが容易に曲げられる軟性材質で構成するものである。この際、支持手段１４は外力により任意の形態に変形可能であり、外力が加わらない時は現在の状態に維持し、視線誘導手段１１を支持できるほどの支持力を有しているべきであることは勿論である。
【００２６】
もう一つの例は、支持手段１４に一つ以上の関節を含むように構成して、各関節部分で容易に曲げられるようにするものである。関節の構成は知られている任意の技術を利用して容易に構成できるので、詳細な説明は省く。
【００２７】
支持手段１４を構成するもう一つの例を、図８を参照して具体的に説明する。
【００２８】
支持手段１４は、次第に口径が小さくなる複数個の節で構成され、各節が隣接節の内部に摺動してその長さを調節するように構成する。すなわち、一般の車両用アンテナと類似した構造を有しうる。この際、支持手段１４と第２締結部１５の水平及び垂直方向の回転や角度を自由に調節できるようにするため、第２締結部１５と支え台１３はそれぞれ支持手段１４とピボット結合１４−２、１４−３されるように構成して、さらに望ましく実施される。
【００２９】
以上では、円や楕円など一定形態の照準孔が形成されている視線誘導手段の例を説明した。しかし、視線誘導手段の主な目的はユーザがゴルフクラブのスイング中にも、ゴルフボールに視線を固定できるように助けるところにある。従って、視線誘導手段はこのような目的を達成できるように多様な形態で構成されうる。
【００３０】
図９ないし図１５を参照して、一文字形照準用バーの形態で視線誘導手段を構成する第２実施形態を説明する。
【００３１】
図９を参照すれば、ユーザは一文字形照準用バー４の形態よりなる視線誘導手段を通してゴルフボール３を見つめるようになり、円内に別に示したように、ゴルフボール３を照準用バー４を基準にして見つめるようになる。ゴルフクラブのスイング練習を行う時視線が垂直方向に揺れることは望ましくない。すなわち、ユーザは照準用バー４を基準にしてゴルフボールを見つめるので、スイング途中に視線が垂直方向に揺れると、揺れていることが分かりやすくなる。
【００３２】
照準用バー４を用いる本実施形態は、ユーザの視線誘導が照準用バーを通してなされるという点において照準孔を用いる第１の実施形態とは異なる。
【００３３】
図１０を参照すれば、支え台１３は支持手段１４を支持する構成要素であって任意の形態で構成でき、支持手段１４の一端は支え台１３に固定されている。支持手段１４の他端には視線誘導手段５０と結合あるいは分離できるよう第２締結部１５が具備されている。視線誘導手段５０にはゴルフ練習を行うユーザが床に置かれたゴルフボールを見つめる視線をガイドできる一文字形の照準用バー５２が備えられ、一端には着脱用第１締結部５１が形成されている。
【００３４】
視線誘導手段５０に具備される第１締結部５１、及び支持手段に具備される第２締結部１５は、ユーザが視線誘導手段５０を便利に着脱できるようにする任意の締結構造を有しうる。
【００３５】
前記締結構造をプランジャ形態で構成する一実施形態を図１１に基づき説明する。
【００３６】
第１締結部５１にはプランジャ３０が具備されるが、プランジャ３０はバネ３３を受け入れるバネ受け部３２と前記バネ３３の弾性力を受ける突起３１で構成されることが一般的である。突起３１はバネ３３の弾性力によって外部に跳ね出ないようバネ受入溝３２に係止される構造よりなっている。
【００３７】
第２締結部１５には第１締結部５１を挿入したり引き抜いたりできる挿入溝１５−１、及びプランジャの突起３１を受け入れられる突起受入溝１５−２が形成されている。これにより、第１締結部５１が挿入溝１５−１を通して挿入されれば、プランジャの突起３１が突起受入溝１５−２に受け入れられ固着される。ユーザは視線誘導手段を取り外そうとする時は、突起受入溝１５−２に受け入れられている突起３１を押えてから引き抜ければ良い。
【００３８】
図１２はネジの形で締結される他の実施形態を示したもので、第１締結部５１は雄ネジの形態で構成され、第２締結部１５は雌ネジの形態で構成され、ユーザが所望する視線誘導手段を着脱することができる。
【００３９】
図１３は磁石式で締結される他の実施形態を示した図であって、第２締結部１５には磁石１５−３を備え、第１締結部5１には磁石を着脱できるよう金属板５３を備えるようにする。すると、ユーザは磁石につけたり取り外す方式で視線誘導手段５０のうちいずれか一つを着脱しやすくなる。もちろん、第１締結部5１に磁石を具備するよう構成し、第２締結部１５に金属板を備えるように構成することもできる。
【００４０】
図１１ないし図１３に示した例は、第１締結部5１と第２締結部１５の役割を説明するための例にすぎず、任意の構造で構成されうることは明白である。
【００４１】
一方、支持手段１４は図１４に示したように、ユーザの背の高さや練習状況などに適切に対処するため、 照準用バーの角度と位置を容易に変更できるよう構成してさらに望ましく実施することができる。
【００４２】
すなわち、ユーザが現在の練習状況に適する視線誘導手段を装着したとしても、視線角度自体が変動でき、この場合は支持手段１４を曲げて所望の角度に合わせられるようにする。
【００４３】
そのための一つの例は、支持手段１４をユーザが容易に曲げられる軟性材質で構成するものである。この際、支持手段１４は外力により任意の形態に変形可能であり、外力が加わらない時は現在の状態に維持し、視線誘導手段を支持できるほどの支持力を有しているべきであることは勿論である。
【００４４】
もう一つの例は、支持手段１４に一つ以上の関節を含むよう構成して各関節部分で容易に曲げられるようにするものである。関節の構成は既知の任意の技術を利用して容易に構成できるので、詳細な説明は省く。
【００４５】
支持手段１４を構成するもう一つの例を、図１５を参照して具体的に説明する。
【００４６】
支持手段１４は次第に口径が小さくなる複数個の節で構成され、各節が隣接節の内部に摺動して、その長さを調節するように構成する。すなわち、一般の車両用アンテナと類似した構造を有しうる。この際、支持手段１４と第２締結部１５の水平及び垂直方向の回転や角度を自由に調節できるようにするため、第２締結部１５と支え台１３はそれぞれ支持手段１４とピボット結合１４−２、１４−３されるように構成してさらに望ましく実施される。
【００４７】
本発明は前述した実施形態に限らず、本発明の技術的思想を逸脱しない範囲内で当業者にとって多様に変形して実施できることは勿論である。
【図面の簡単な説明】
【００４８】
【図１】視線固定のための従来のゴルフ練習装置の概要を示す図である。
【図２】本発明の第１の実施形態によるゴルフ練習用視線固定装置を示す図である。
【図３】第１の実施形態においてプランジャ形態で構成される締結構造を示す図である。
【図４】第１の実施形態においてネジ形で構成される締結構造を示す図である。
【図５】第１の実施形態において磁石式で構成される締結構造を示す図である。
【図６】第１の実施形態において視線移動の許容範囲を示す概要を示した図である。
【図７】第１の実施形態において変形自在な支持手段の概要を示す図である。
【図８】第１の実施形態において支持手段を構成する他の実施形態を示す図である。
【図９】照準用バーを用いる第２の実施形態に関する概要を示す図である。
【図１０】本発明の第２の実施形態によるゴルフ練習用視線固定装置を示す図である。
【図１１】第２の実施形態においてプランジャ形態で構成される締結構造を示す図である。
【図１２】第２の実施形態においてネジの形で構成される締結構造を示す図である。
【図１３】第２の実施形態において磁石式で構成される締結構造を示す図である。
【図１４】第２の実施形態において変形自在な支持手段の概要を示す図である。
【図１５】第２の実施形態において支持手段を構成する他の実施形態を示す図である。
【符号の説明】
【００４９】
１  ゴルフクラブ
２−１、１１−１、１１−３、１１−５  照準孔
３  ゴルフボール
４、５２  照準用バー
１１、５０  視線誘導手段
１１−２、１１−４、１１−６、５１  第１締結部
１３  支え台
１４  支持手段
１５  第２締結部
【図１】
2005329224.tif 000003
【図２】
2005329224.tif 000004
【図３】
2005329224.tif 000005
【図４】
2005329224.tif 000006
【図５】
2005329224.tif 000007
【図６】
2005329224.tif 000008
【図７】
2005329224.tif 000009
【図８】
2005329224.tif 000010
【図９】
2005329224.tif 000011
【図１０】
2005329224.tif 000012
【図１１】
2005329224.tif 000013
【図１２】
2005329224.tif 000014
【図１３】
2005329224.tif 000015
【図１４】
2005329224.tif 000016
【図１５】
2005329224.tif 000017